(57)【要約】【課題】逆浸透膜処理装置における不純物の除去能力を正確に評価することができるとともに、処理水中の溶存水素濃度を所望の濃度に保つことができる透析液調製用水の製造装置を提供することを目的とする。【解決手段】  透析液調製用水の製造装置１は、逆浸透膜処理装置６と、固体高分子膜を用いて水の電気分解処理を行う電解水生成装置７と、電解水生成装置７に入水する水の溶存水素濃度を検知するセンサー３１と、電解水生成装置７による電気分解処理の電解電流を決定する電解電流決定手段３３と、電解水生成装置７に対して電解電流を供給する電解電流供給手段３４と、溶存水素濃度の目標値のデータを記憶する記憶手段３５を備える。電解電流決定手段３３は、センサー３１により検知された溶存水素濃度の値と記憶手段３５に記憶された溶存水素濃度の目標値との比較結果に基づいて、電解電流を決定する。【選択図】図１
2015003313.tif 000002
【特許請求の範囲】
【請求項１】
逆浸透膜処理装置と、
前記逆浸透膜装置に接続され、固体高分子膜を用いて水の電気分解処理を行う電解水生成装置と、
前記電解水生成装置の入水側に設けられ、該電解水生成装置に入水する前記水の溶存水素濃度を検知するセンサーと、
前記センサーに接続され、前記電解水生成装置による電気分解処理の電解電流を決定する電解電流決定手段と、
前記電解電流決定手段及び前記電解水生成装置に接続され、該電解水生成装置に対して電解電流を供給する電解電流供給手段と、
前記電解電流決定手段に接続され、溶存水素濃度の目標値のデータを記憶する記憶手段と
を備え、
前記電解電流決定手段は、前記センサーにより検知された前記溶存水素濃度の値と前記記憶手段に記憶された溶存水素濃度の目標値とを比較し、該比較の結果に基づいて、前記電解電流を決定し、
前記電解電流供給手段は、前記電解電流決定手段により決定された前記電解電流を前記電解水生成装置に供給することを特徴とする透析液調製用水の製造装置。
【請求項２】
前記電解電流決定手段は、前記センサーにより検知された溶存水素濃度の値が前記記憶手段に記憶された溶存水素濃度の目標値よりも小さい場合に、前記電解水生成装置に入水する前記水の溶存水素濃度が前記目標値となるように、前記電解電流を決定することを特徴とする請求項１に記載の透析液調製用水の製造装置。
【請求項３】
前記電解水生成装置の出水側に設けられ、該電解水生成装置から出水する前記水の溶存水素濃度を検知するための他のセンサーを更に備え、
前記電解電流決定手段は、前記他のセンサーにより検知された前記溶存水素濃度の値と前記記憶手段に記憶された溶存水素濃度の目標値とを比較し、該比較の結果に基づいて、前記電解電流を決定することを特徴とする請求項１または請求項２に記載の透析液調製用水の製造装置。
【請求項４】
前記電解電流決定手段は、前記他のセンサーにより検知された溶存水素濃度の値が前記記憶手段に記憶された溶存水素濃度の目標値よりも小さい場合に、前記電解水生成装置に入水する前記水の溶存水素濃度が前記目標値となるように、前記電解電流を決定することを特徴とする請求項３に記載の透析液調製用水の製造装置。
【請求項５】
前記逆浸透膜処理装置を通過した前記水を、前記電解水生成装置により電気分解処理することを特徴とする請求項１〜請求項４のいずれか１項に記載の透析液調製用水の製造装置。
【請求項６】
前記電解水生成装置により電気分解処理された前記水を、前記逆浸透膜処理装置に通過させることを特徴とする請求項１〜請求項４のいずれか１項に記載の透析液調製用水の製造装置。
【発明の詳細な説明】
【技術分野】
【０００１】
本発明は、透析液を調製するための透析液調製用水を製造するための装置に関する。
【背景技術】
【０００２】
腎機能が低下し、水分量の調節と尿素などの老廃物を含む体内有害物質の除去を行うための尿の排泄ができない腎不全患者のための有効な治療法の一つに、血液透析が知られている。
【０００３】
この血液透析は、血液ポンプを用いて血液を体外に引き出し、透析器（ダイアライザー）を介して透析液と血液とを接触させることにより、濃度勾配による拡散現象を利用して、血液から体内有害物質および水分を除去した後、再び、血液を体内に戻す（返血）操作を連続して行う治療法である。
【０００４】
また、近年、血液透析において透析患者に酸化ストレスが発生することが知られている。これは、透析時に発生する活性酸素が原因であると考えられており、この活性酸素を消去して酸化ストレスの軽減を図ることが提案されている。
【０００５】
例えば、隔膜により分離された、陰極を含む陰極室と陽極を含む陽極室とを有する電解水生成装置を準備する工程と、少なくともナトリウムイオン、カリウムイオン、マグネシウムイオン、及びカルシウムイオンを含む原水を陰極室および陽極室のそれぞれに送り込む工程と、陰極と陽極との間に、電流を通電し、原水を電気分解する工程と、陰極室内にある水を取出す工程とを備えた透析液の製造方法が開示されている。
【０００６】
そして、この方法においては、陰極室内にある水は、白金電極を用いて測定された酸化還元電位の実測値が−１５０ｍＶ〜０ｍＶの範囲内にあるとともに、ｐＨが８．０〜９．５の範囲にあり、このような水を使用することにより、体内で発生する活性酸素を消去することができると記載されている（例えば、特許文献１参照）。
【０００７】
図８は、従来の透析液調製用水の製造装置を示す図である。この透析液調製用水の製造装置１０１では、まず、原水（市水）１０２を加圧ポンプ１０３により加圧し、１０〜３０μｍの孔径のフィルター１０４により、原水１０２中の固形物を処理する。
【０００８】
次いで、軟水化装置１０５により、原水１０２の硬度を下げた後、活性炭処理装置１０６により、原水１０２に含まれる次亜塩素酸を除去する。そして、電解水生成装置１０７により、電気分解により得られた還元水（処理水）を還元水タンク１０８に貯水する。
【０００９】
次いで、還元水タンク１０８に貯水された還元水を、加圧ポンプ１０９により加圧した後、この還元水を、逆浸透膜処理装置１１０内の逆浸透膜に通過させ、逆浸透膜を通過した還元水をＲＯタンク１１１に貯水する。
【００１０】
次いで、ＲＯタンク１１１から送水された還元水に対して、ＵＶ殺菌灯１１２により殺菌処理を行い、殺菌処理が行われた還元水を、マイクロフィルター１１３を通じて、透析液供給装置１１４に供給する。
【００１１】
そして、透析液供給装置１１４においては、供給された還元水（即ち、逆浸透膜処理が施された還元水）と透析原液を混合して透析液を作製する。そして、この透析液が患者監視装置（図示せず）へ供給され、患者監視装置に取り付けられているダイアライザーを通して、患者の血液の浄化が行われる。
【先行技術文献】
【特許文献】
【００１２】
【特許文献１】特開２０００−３５０９８９号公報
【発明の概要】
【発明が解決しようとする課題】
【００１３】
図９は、上述した透析液調製用水の製造装置１０１における電解水生成装置１０７に用いられる電解槽２００を示す図である。
【００１４】
この電解槽２００は、陽極２０３と、陰極２０４と、陽極２０３と陰極２０４との間に配置された隔膜２０５を備えており、この電解槽２００により電気分解を行うことにより、陰極２０４側で得られた水を、上述の還元水として使用する構成となっている。
【００１５】
そして、この電気分解においては、陽極２０３側、陰極２０４側で、次のような反応が起こっている。
【００１６】
陽極側：Ｈ２Ｏ→１／２Ｏ２＋２Ｈ＋＋２ｅ−
陰極側：２Ｈ２Ｏ＋２ｅ−→Ｈ２＋２ＯＨ−
従って、上記従来の電解水生成装置１０７においては、陽極２０３側は、Ｈ＋イオンが発生して酸性になり、陰極２０４側は、ＯＨ−イオンが発生してアルカリ性になる。
【００１７】
ここで、一般に、透析患者の慢性炎症や酸化ストレスを抑制するとの観点から、処理水の溶存水素濃度を向上させることが好ましく、上記従来の電解水生成装置１０７において、溶存水素濃度を向上させるには、高い電流値で電気分解することが有効となる。
【００１８】
しかし、例えば、上述の逆浸透膜処理装置１１０においては、その材質に依存して、処理水のｐＨの上限値が定められており、また、上述のごとく、高い電流値で電気分解を行うと、生成するＯＨ−イオンの濃度が増加し、処理水のｐＨが大きくなってしまう。従って、上述のｐＨの上限値に起因して、処理水の溶存水素濃度が抑制されてしまうという問題があった。
【００１９】
また、逆浸透膜処理装置１１０における不純物の除去能力は、逆浸透膜で処理され、純化した水（以下、「逆浸透水」という。）の電気伝導度で管理される（即ち、逆浸透膜を通過するイオンの量で管理される）が、上述の電気分解において多量に発生するＯＨ−イオンは、逆浸透膜の劣化の有無にかかわらず、当該逆浸透膜を通過してしまう。従って、このＯＨ−イオンに起因して電気伝導度が大きくなってしまい、逆浸透膜処理装置１１０の劣化を正確に評価することができないという問題があった。
【００２０】
また、一般に、透析液調製用水の製造装置においては、水量の節約や微生物などに対する清浄度の維持を図るとの観点から、上述の処理水が循環するように構成されるが、循環の過程で、物理的な衝撃等に起因して処理水中の溶存水素濃度が減少してしまい、溶存水素濃度を一定に保つことが困難になるという問題があった。
【００２１】
そこで、本発明は、上述の問題に鑑みてなされたものであり、逆浸透膜処理装置における不純物の除去能力を正確に評価することができるとともに、処理水中の溶存水素濃度を所望の濃度に保つことができる透析液調製用水の製造装置を提供することを目的とする。
【課題を解決するための手段】
【００２２】
上記目的を達成するために、本発明の透析液調製用水の製造装置は、逆浸透膜処理装置と、逆浸透膜装置に接続され、固体高分子膜を用いて水の電気分解処理を行う電解水生成装置と、電解水生成装置の入水側に設けられ、電解水生成装置に入水する水の溶存水素濃度を検知するセンサーと、センサーに接続され、電解水生成装置による電気分解処理の電解電流を決定する電解電流決定手段と、電解電流決定手段及び電解水生成装置に接続され、電解水生成装置に対して電解電流を供給する電解電流供給手段と、電解電流決定手段に接続され、溶存水素濃度の目標値のデータを記憶する記憶手段とを備え、電解電流決定手段は、センサーにより検知された溶存水素濃度の値と記憶手段に記憶された溶存水素濃度の目標値とを比較し、比較の結果に基づいて、電解電流を決定し、電解電流供給手段は、電解電流決定手段により決定された電解電流を電解水生成装置に供給することを特徴とする。
【００２３】
同構成によれば、固体高分子膜を用いて水の電気分解を行うため、ｐＨの上限値に起因して、電気分解される水の溶存水素濃度が抑制されてしまうという不都合を生じることがなくなる。従って、所望の高い電流値で電気分解処理を行うことにより、処理水の溶存水素濃度を向上させることが可能になるため、必要な溶存水素濃度を有する処理水を得ることが可能になる。
【００２４】
また、固体高分子膜を用いて水の電気分解を行うため、上記従来の電解水生成装置とは異なり、電気分解の際に、陰極側でＯＨ−イオンが生成しない。従って、例えば、電気分解処理された処理水を循環させ、処理水が逆浸透膜装置を通過する場合であっても、逆浸透膜で処理された水の電気伝導度を使用して、逆浸透膜処理装置における不純物の除去能力の低下（逆浸透膜処理装置の劣化）を正確に評価することが可能になる。
【００２５】
また、電解水生成装置に入水する水の溶存水素濃度を検知するセンサーと、センサーにより検知された溶存水素濃度に基づいて電解電流を決定する電解電流決定手段を設ける構成としているため、例えば、処理水の循環の過程で、物理的な衝撃等に起因して処理水中の溶存水素濃度が減少した場合であっても、処理水において不足した溶存水素を補うように、再度の電気分解を行い、処理水中の溶存水素濃度を所望の濃度（目標の濃度）に保つことが可能になる。
【発明の効果】
【００２６】
本発明によれば、逆浸透膜処理装置における不純物の除去能力を正確に評価することができるとともに、処理水中の溶存水素濃度を所望の濃度に保つことができる。
【図面の簡単な説明】
【００２７】
【図１】本発明の実施形態に係る透析液調製用水の製造装置の構成を示す図である。
【図２】本発明の実施形態に係る透析液調製用水の製造装置の電解水生成装置における電解槽を示す図である。
【図３】本発明の実施形態に係る溶存水素濃度調整装置による溶存水素濃度の調整方法を説明するためのフローチャートである。
【図４】本発明の実施形態に係る溶存水素濃度調整装置による溶存水素濃度の調整方法を説明するためのフローチャートである。
【図５】本発明の実施形態に係る透析液調製用水の製造装置の変形例を示す図である。
【図６】本発明の実施形態に係る透析液調製用水の製造装置の変形例を示す図である。
【図７】本発明の実施形態に係る透析液調製用水の製造装置の変形例を示す図である。
【図８】従来の透析液調製用水の製造装置を示す図である。
【図９】従来の透析液調製用水の製造装置における電解水生成装置に用いられる電解槽を示す図である。
【発明を実施するための形態】
【００２８】
図１は、本発明の実施形態に係る透析液調製用水の製造装置の構成を示す概念図である。また、図２は、本発明の実施形態に係る透析液調製用水の製造装置における電解水生成装置における電解槽を示す図である。
【００２９】
この透析液調製用水の製造装置１は、軟水化装置３と、軟水化装置３に接続された活性炭処理装置４と、活性炭処理装置４に接続されたタンク５と、タンク５に接続された逆浸透膜処理装置６と、逆浸透膜処理装置６に接続された電解水生成装置７と、電解水生成装置７に接続されたＵＦ（Ｕｌｔｒａ  Ｆｉｌｔｅｒ）モジュール８とを備えている。
【００３０】
軟水化装置３は、原水２（硬度成分であるカルシウムイオン、マグネシウムイオンなどの溶解固形物を含む硬水）から、イオン交換によって硬度成分を置換反応により除去し、軟水とする処理を行うためのものである。なお、本実施形態においては、原水２として、水道水や井戸水、地下水などを用いることができる。
【００３１】
活性炭処理装置４は、軟水化装置３により処理された原水に対して、多孔質の吸着物質である活性炭を用いて、原水中に含まれる残留塩素、クロラミン、有機物などを物理的な吸着作用により除去する処理を行うためのものである。
【００３２】
タンク５は、活性炭処理装置４により処理された原水（逆浸透膜処理装置６による逆浸透膜処理前の原水）、及び逆浸透膜処理と電解水生成装置７による電気分解後に循環する水を貯蔵するためのものである。
【００３３】
逆浸透膜処理装置６は、半透膜を境界にして、濃度の異なる溶液がある場合、低濃度の溶液から高濃度の溶液へ水が移動する現象（浸透）に対し、高濃度の溶液側に圧力を加えることにより、高濃度側の溶液から低濃度側の溶液へ水を移動させ、低濃度側に浸透した水を得る処理（逆浸透膜処理）を行うためのものである。
【００３４】
そして、この逆浸透膜処理装置６により、上述の一連の処理で得られた原水から、微量金属類などの不純物をさらに除去することができるため、ＩＳＯ１３９５９（透析用水基準）に規定される水質基準を満たす水（逆浸透水）を得ることが可能になる。
【００３５】
なお、軟水化装置３、活性炭処理装置４、及び逆浸透膜処理装置６としては、公知のものを使用することができる。
【００３６】
電解水生成装置７は、逆浸透膜処理装置６により処理された原水に対して、電気分解処理を行うことにより、透析液調製用水として使用される水素が溶存した水（溶存水素水）を生成するためのものである。
【００３７】
そして、本実施形態の電解水生成装置７は、図２に示す、固体高分子膜（固体高分子膜電解質膜）１０を有する電解槽２０を備えている点に特徴がある。
【００３８】
この電解槽２０は、図２に示すように、上述の固体高分子膜１０と、固体高分子膜１０を介して、互いに対向して配置され、電解槽２０への給電を行う給電体である陽極１１、及び陰極１２と、固体高分子膜１０と陽極１１との間、及び固体高分子膜１０と陰極１２との間に配置された誘電体層１３とを備えている。
【００３９】
なお、図２に示すように、陽極１１と陰極１２は、電気的に接続されており、これらの固体高分子膜１０、陽極１１、陰極１２、及び誘電体層１３は、電解槽本体１５の内部に収容されている。
【００４０】
また、図２に示すように、電解槽本体１５には、電気分解が行われる原水２を電解槽本体１５内に導入するための導入路１６が形成されている。
【００４１】
陽極１１、及び陰極１２の材料としては、例えば、チタンや白金などが挙げられる。
【００４２】
また、誘電体層１３を形成する材料としては、例えば、チタンや白金などが挙げられる。
【００４３】
また、固体高分子膜１０は、電気分解により、陽極１１側で発生したオキソニウムイオン（Ｈ３Ｏ＋）を陰極側へと移動させる役割を有するものである。
【００４４】
この固体高分子膜１０としては、例えば、スルホン酸基を有するフッ素系の樹脂材料により形成されたものを好適に使用することができる。より具体的には、ナフィオン（デュポン社製）、Ｆｌｅｍｉｏｎ（旭硝子社製）、Ａｃｉｐｌｅｘ（旭硝子社製）などの市販品を、本発明における固体高分子膜１０として好適に用いることができる。
【００４５】
そして、このような固体高分子膜１０を用いた電解水生成装置７における電気分解では、陽極１１側、陰極１２側でそれぞれ次のような反応が起こる。
【００４６】
陽極側：６Ｈ２Ｏ→４Ｈ３Ｏ＋＋Ｏ２＋４ｅ−
陰極側：４Ｈ３Ｏ＋＋４ｅ−→２Ｈ２＋４Ｈ２Ｏ
即ち、本実施形態においては、上記従来の電解槽と異なり、陰極１２における水素の生成原料としてオキソニウムイオン（Ｈ３Ｏ＋）が使用され、電解水生成装置７における電気分解処理の際に、ＯＨ−イオンが発生しない。従って、溶存水素の量を増やすために、高い電流値で電気分解処理を行った場合であっても、処理水のｐＨが変化しない。
【００４７】
従って、上述のｐＨの上限値に起因して、処理水の溶存水素濃度が抑制されてしまうという不都合を生じることがなくなり、所望の高い電流値で電気分解処理を行い、処理水の溶存水素濃度を向上させることが可能になる。その結果、必要な溶存水素濃度を有する処理水を得ることが可能になる。
【００４８】
また、固体高分子膜１０を用いて水の電気分解処理を行い、電気分解処理の際に、陰極側でＯＨ−イオンが生成しないため、逆浸透水の電気伝導度を使用して、逆浸透膜処理装置６における不純物の除去能力の低下（逆浸透膜処理装置６の劣化）を正確に評価することが可能になる。
【００４９】
また、一般に、電気伝導度には地域差が存在し、同じ地域であっても配管によって電気伝導度に差が生じるが、本実施形態における電解槽２０は、固体高分子膜１０が電解質に相当するため、原水２の電解質量に電気分解量（即ち、溶存水素濃度）が依存しない。従って、本実施形態の透析液調製用水の製造装置１をどのような地域で使用した場合であっても、安定した電気分解を行うことができるため、任意の溶存水素濃度を得ることができる。
【００５０】
また、一般に、電解槽は、９０〜１００℃の熱水で洗浄を行い、過酢酸、次亜塩素酸等の薬液による殺菌（例えば、生菌やエンドトキシンの除去）処理を行うが、従来の電解槽における隔膜は、その材質により、これらの洗浄や殺菌処理に対する耐久性がない場合があった。一方、本実施形態における電解槽２０においては、上記従来の隔膜を使用せず、上記洗浄、及び上記薬液による殺菌処理に対する耐久性を有する固体高分子膜１０を使用するため、電解槽２０の洗浄、及び殺菌処理を適切に行うことができる。
【００５１】
また、従来の電解水生成装置では、陰極面にカルシウムなどのミネラル分が析出して電解の妨げとなっていた。これに対し、本発明では、逆浸透膜処理装置６により処理された原水に対して、固体高分子膜１０を用いた電解水生成装置７により電気分解処理を行うため、ミネラル分が析出することがなく、このようなミネラル分が電解の妨げになることがない。
【００５２】
そして、上述の電気分解処理により生成した処理水（溶存水素水）１７は、電解槽本体１５の陰極側に形成された送水路１８により、電解水生成装置７に接続されたＵＦモジュール８へと送られる。なお、電気分解処理により、陽極側で発生した溶存酸素水１９は、電解槽本体１５の陽極側に形成された排水路２１により、外部へと排出される。
【００５３】
ＵＦモジュール８は、処理水１７中に含まれる菌や微生物を除去する処理を施すためのものである。
【００５４】
ＵＦモジュール８による処理が行われた処理水１７は、透析液供給装置２５へと供給される。透析液供給装置２５では、供給された処理水１７と透析原液とを混合した液体（透析液）が調製されるとともに、この透析液が、各患者監視装置（図示せず）へ供給され、患者の血液の浄化が行われる。
【００５５】
また、本実施形態においては、図１に示すように、水量の節約や微生物などに対する清浄度の維持を図るとの観点から、処理水１７（即ち、逆浸透膜処理装置６、及び電解水生成装置７による処理が行われた処理水１７）が循環するように構成されている。
【００５６】
ここで、上述のごとく、上記従来の製造装置においては、処理水の循環の過程で、物理的な衝撃等に起因して処理水中の溶存水素濃度が減少してしまい、溶存水素濃度を一定に保つことが困難になるという問題があった。
【００５７】
そこで、本実施形態においては、センサーを使用したフィードバック制御を使用して、処理水１７において不足した溶存水素を補うように、再度の電気分解を行うことにより、処理水１７中の溶存水素濃度を所望の濃度に保つ構成としている。
【００５８】
より具体的には、図１に示すように、本実施形態における透析液調製用水の製造装置１は、処理水１７における溶存水素濃度を調整するための溶存水素濃度調整装置３０を備えている。
【００５９】
この溶存水素濃度調整装置３０は、上述の電解水生成装置７と、電解水生成装置７の入水側（即ち、電解槽２０の導入路１６）に設けられ、電解水生成装置７に入水する水（即ち、逆浸透膜処理装置６を通過した水）の溶存水素濃度を検知するためのセンサー３１と、電解水生成装置７の出水側（即ち、電解槽２０の送水路１８）に設けられ、電解水生成装置７から出水する水（即ち、電解水生成装置７により生成した水）の溶存水素濃度を検知するためのセンサー３２とを備えている。
【００６０】
このセンサー３１，３２は、溶存水素濃度を検知できるものであれば特に限定されず、例えば、隔膜型ポーラログラフ方式を利用した溶存水素電極（東亜ディーケーケー社製、商品名：溶存水素濃度計ＤＨ−３５Ａ）を使用することができる。
【００６１】
また、溶存水素濃度調整装置３０は、センサー３１，３２に接続され、電解水生成装置７による電気分解処理の電解電流を決定する電解電流決定手段３３と、電解電流決定手段３３、及び電解水生成装置７（即ち、電解槽２０）に接続され、電解水生成装置７に対して電解電流を供給する電解電流供給手段３４と、電解電流決定手段３３に接続され、溶存水素濃度の目標値のデータを記憶する記憶手段３５とを備えている。
【００６２】
次に、溶存水素濃度調整装置３０による溶存水素濃度の調整方法について説明する。図３、図４は、本実施形態に係る溶存水素濃度調整装置による溶存水素濃度の調整方法を説明するためのフローチャートである。
【００６３】
まず、センサー３１が、電解水生成装置７に入水する水（即ち、逆浸透膜処理装置６を通過した水）の溶存水素濃度を検知する（ステップＳ１）。
【００６４】
次に、センサー３１により検知された溶存水素濃度のデータが、電解電流決定手段３３に送信される（ステップＳ２）。
【００６５】
次に、電解電流決定手段３３が、記憶手段３５に記憶された溶存水素濃度の目標値に関するデータを読み出す（ステップＳ３）。
【００６６】
次に、電解電流決定手段３３は、センサー３１により検知された溶存水素濃度の値Ｃ１と、記憶手段３５から読み出した溶存水素濃度の目標値Ｃとを比較する。即ち、電解電流決定手段３３は、センサー３１により検知された溶存水素濃度の値Ｃ１がメモリから読み出した溶存水素濃度の目標値Ｃよりも小さい（即ち、Ｃ１＜Ｃ）か否かを判断する（ステップＳ４）。
【００６７】
そして、電解電流決定手段３３は、センサー３１により検知された溶存水素濃度の値Ｃ１が記憶手段３５から読み出した溶存水素濃度の目標値Ｃよりも小さい（即ち、Ｃ１＜Ｃ）場合、溶存水素濃度が不足（減少）していると判断し、電解水生成装置７に入水する水の溶存水素濃度が目標値Ｃとなるように、電解水生成装置７による電気分解処理の電解電流を決定する（ステップＳ５）。そして、電解電流決定手段３３は、電解水生成装置７に対して電解電流を供給する電解電流供給手段３４へ、決定した電解電流に関する信号を送信する（ステップＳ６）。
【００６８】
次に、電解電流供給手段３４は、入力された信号に基づく電解電流を、電解水生成装置７へ供給し、電解水生成装置７において、電解水生成装置７に入水した水の溶存水素濃度が目標値Ｃとなるように、電気分解処理が行われる（ステップＳ７）。
【００６９】
一方、電解電流決定手段３３は、センサー３１により検知された溶存水素濃度の値Ｃ１が記憶手段３５から読み出した溶存水素濃度の目標値Ｃ以上（即ち、Ｃ１≧Ｃ）の場合、溶存水素濃度が不足していないと判断する。この場合、上述したステップＳ５〜ステップＳ７の処理は行われず、後述するステップＳ８の処理へ移動する。
【００７０】
以上のように、本実施形態においては、電解電流決定手段３３が、センサー３１により検知された溶存水素濃度の値Ｃ１と記憶手段３５に記憶された溶存水素濃度の目標値Ｃとを比較し、この比較の結果に基づいて、電解電流を決定する構成としている。従って、処理水１７の循環の過程で、物理的な衝撃等に起因して処理水１７中の溶存水素濃度が減少した場合であっても、センサー３１により検知された溶存水素濃度の値Ｃ１に基づいて、処理水１７において不足した溶存水素を補うように、再度の電気分解処理を行うため、処理水１７中の溶存水素濃度を所望の濃度（即ち、目標の濃度）に保つことが可能になる。
【００７１】
次に、センサー３２が、電解水生成装置７から出水する水（即ち、電解水生成装置７により生成した水）の溶存水素濃度を検知する（ステップＳ８）。
【００７２】
次に、センサー３２により検知された溶存水素濃度のデータが、電解電流決定手段３３に送信される（ステップＳ９）。
【００７３】
次に、電解電流決定手段３３が、記憶手段３５に記憶された溶存水素濃度の目標値に関するデータを読み出す（ステップＳ１０）。
【００７４】
次に、電解電流決定手段３３は、センサー３２により検知された溶存水素濃度の値Ｃ２と、記憶手段３５から読み出した溶存水素濃度の目標値Ｃとを比較する（ステップＳ１１）。即ち、電解電流決定手段３３は、センサー３２により検知された溶存水素濃度の値Ｃ２が記憶手段３５から読み出した溶存水素濃度の目標値Ｃよりも小さい（即ち、Ｃ２＜Ｃ）か否かを判断する（ステップＳ１１）。
【００７５】
そして、電解電流決定手段３３は、センサー３２により検知された溶存水素濃度の値Ｃ２が記憶手段３５から読み出した溶存水素濃度の目標値Ｃよりも小さい（即ち、Ｃ２＜Ｃ）場合、電気分解後の処理水中における溶存水素濃度が不足（減少）していると判断し、循環して、再度、電解水生成装置７に入水する水の溶存水素濃度が目標値Ｃとなるように、電解水生成装置７による電気分解処理の電解電流を決定する（ステップＳ１２）。そして、電解電流決定手段３３は、電解水生成装置７に対して電解電流を供給する電解電流供給手段３４へ、決定した電解電流に関する信号を送信する（ステップＳ１３）。
【００７６】
次に、電解電流供給手段３４は、入力された信号に基づく電解電流を、電解水生成装置７へ供給し、電解水生成装置において、電解水生成装置７に入水した水の溶存水素濃度が目標値Ｃとなるように、電気分解処理が行われる（ステップＳ１４）。
【００７７】
一方、電解電流決定手段３３は、センサー３２により検知された溶存水素濃度の値Ｃ２が記憶手段３５から読み出した溶存水素濃度の目標値Ｃ以上（即ち、Ｃ２≧Ｃ）の場合、溶存水素濃度が不足していないと判断する。
【００７８】
以上のように、本実施形態においては、電解電流決定手段３３が、センサー３２により検知された溶存水素濃度の値Ｃ２と記憶手段３５に記憶された溶存水素濃度の目標値Ｃとを比較し、この比較の結果に基づいて、電解電流を決定する構成としている。従って、例えば、電解水生成装置７における水素の生成能力の低下等に起因して、電気分解処理後の処理水中における溶存水素濃度が減少した場合であっても、センサー３２により検知された溶存水素濃度の値Ｃ２に基づいて、処理水１７において不足した溶存水素を補うように、再度の電気分解を行うため、処理水１７中の溶存水素濃度を所望の濃度に保つことが可能になる。
【００７９】
なお、上記実施形態は以下のように変更しても良い。
【００８０】
上記実施形態においては、図１に示すように、原水２の流れに対して、逆浸透膜処理装置６の下流側に電解水生成装置７を配置し、逆浸透膜処理装置６を通過した原水に対して、電解水生成装置７により電気分解処理を行う構成としたが、図５に示す透析液調製用水の製造装置４０のように、原水２の流れに対して、逆浸透膜処理装置６の上流側に電解水生成装置７を配置し、電解水生成装置７により電気分解処理を行った後、電気分解処理された処理水を逆浸透膜処理装置６に通過させる構成としてもよい。
【００８１】
この場合、図５に示すように、原水２の流れに対して、逆浸透膜処理装置６の上流側に、上述の溶存水素濃度調整装置３０が配置される。
【００８２】
このような構成においても、上述の実施形態の場合と同様の効果を得ることができるが、図１に示す透析液調製用水の製造装置１においては、逆浸透膜処理装置６に起因して（例えば、逆浸透膜の目詰まりに起因して）、溶存水素濃度が減少するという不都合を生じることなく、電解水生成装置７により電気分解処理が行われた処理水１７を、直接、透析液供給装置２５へと供給することができるため、好ましいと言える。
【００８３】
また、上記実施形態においては、溶存水素濃度調整装置３０が、２つのセンサー３１とセンサー３２を備える構成としたが、本発明では、センサー３１及びセンサー３２の少なくとも一方を備える構成とすることができる。
【００８４】
即ち、図６，図７に示すように、溶存水素濃度調整装置３０が、センサー３１またはセンサー３２のいずれか一方のみを備える構成としても良い。このような構成においても、上述の実施形態の場合と同様の効果を得ることができる。
【符号の説明】
【００８５】
１    透析液調製用水の製造装置
２    原水
３    軟水化装置
４    活性炭処理装置
５    タンク
６    逆浸透膜処理装置
７    電解水生成装置
８    ＵＦモジュール
１０    固体高分子膜
１１    陽極
１２    陰極
１３    誘電体層
１５    電解槽本体
１６    導入路
１７    処理水
１８    送水路
１９    溶存酸素水
２０    電解槽
２１    排水路
２５    透析液供給装置
３０    溶存水素濃度調整装置
３１    センサー
３２    センサー（他のセンサー）
３３    電解電流決定手段
３４    電解電流供給手段
３５    記憶手段
４０    透析液調製用水の製造装置
【図１】
2015003313.tif 000003
【図２】
2015003313.tif 000004
【図３】
2015003313.tif 000005
【図４】
2015003313.tif 000006
【図５】
2015003313.tif 000007
【図６】
2015003313.tif 000008
【図７】
2015003313.tif 000009
【図８】
2015003313.tif 000010
【図９】
2015003313.tif 000011
【手続補正書】
【提出日】平成26年8月6日(2014.8.6)
【手続補正１】
【補正対象書類名】明細書
【補正対象項目名】００２２
【補正方法】変更
【補正の内容】
【００２２】
上記目的を達成するために、本発明の透析液調製用水の製造装置は、逆浸透膜処理装置と、逆浸透膜装置に接続され、固体高分子膜を用いて水の電気分解処理を行う電解水生成装置と、電解水生成装置の入水側に設けられ、電解水生成装置に入水する水であって、逆浸透膜処理装置、及び電解水生成装置による処理が行われた処理水の溶存水素濃度を検知するセンサーと、センサーに接続され、電解水生成装置による電気分解処理の電解電流を決定する電解電流決定手段と、電解電流決定手段及び電解水生成装置に接続され、電解水生成装置に対して電解電流を供給する電解電流供給手段と、電解電流決定手段に接続され、溶存水素濃度の目標値のデータを記憶する記憶手段とを備え、電解電流決定手段は、センサーにより検知された溶存水素濃度の値と記憶手段に記憶された溶存水素濃度の目標値とを比較し、比較の結果に基づいて、電解電流を決定し、電解電流供給手段は、電解電流決定手段により決定された電解電流を電解水生成装置に供給することを特徴とする。
【手続補正２】
【補正対象書類名】特許請求の範囲
【補正対象項目名】全文
【補正方法】変更
【補正の内容】
【特許請求の範囲】
【請求項１】
逆浸透膜処理装置と、
前記逆浸透膜装置に接続され、固体高分子膜を用いて水の電気分解処理を行う電解水生成装置と、
前記電解水生成装置の入水側に設けられ、該電解水生成装置に入水する前記水であって、前記逆浸透膜処理装置、及び前記電解水生成装置による処理が行われた処理水の溶存水素濃度を検知するセンサーと、
前記センサーに接続され、前記電解水生成装置による電気分解処理の電解電流を決定する電解電流決定手段と、
前記電解電流決定手段及び前記電解水生成装置に接続され、該電解水生成装置に対して電解電流を供給する電解電流供給手段と、
前記電解電流決定手段に接続され、溶存水素濃度の目標値のデータを記憶する記憶手段と
を備え、
前記電解電流決定手段は、前記センサーにより検知された前記溶存水素濃度の値と前記記憶手段に記憶された溶存水素濃度の目標値とを比較し、該比較の結果に基づいて、前記電解電流を決定し、
前記電解電流供給手段は、前記電解電流決定手段により決定された前記電解電流を前記電解水生成装置に供給することを特徴とする透析液調製用水の製造装置。
【請求項２】
前記電解電流決定手段は、前記センサーにより検知された溶存水素濃度の値が前記記憶手段に記憶された溶存水素濃度の目標値よりも小さい場合に、前記電解水生成装置に入水する前記水の溶存水素濃度が前記目標値となるように、前記電解電流を決定することを特徴とする請求項１に記載の透析液調製用水の製造装置。
【請求項３】
前記電解水生成装置の出水側に設けられ、該電解水生成装置から出水する前記水の溶存水素濃度を検知するための他のセンサーを更に備え、
前記電解電流決定手段は、前記他のセンサーにより検知された前記溶存水素濃度の値と前記記憶手段に記憶された溶存水素濃度の目標値とを比較し、該比較の結果に基づいて、前記電解電流を決定することを特徴とする請求項１または請求項２に記載の透析液調製用水の製造装置。
【請求項４】
前記電解電流決定手段は、前記他のセンサーにより検知された溶存水素濃度の値が前記記憶手段に記憶された溶存水素濃度の目標値よりも小さい場合に、前記電解水生成装置に入水する前記水の溶存水素濃度が前記目標値となるように、前記電解電流を決定することを特徴とする請求項３に記載の透析液調製用水の製造装置。
【請求項５】
前記逆浸透膜処理装置を通過した前記水を、前記電解水生成装置により電気分解処理することを特徴とする請求項１〜請求項４のいずれか１項に記載の透析液調製用水の製造装置。
【請求項６】
前記電解水生成装置により電気分解処理された前記水を、前記逆浸透膜処理装置に通過させることを特徴とする請求項１〜請求項４のいずれか１項に記載の透析液調製用水の製造装置。